(57)【要約】【課題】  組み立てが容易で且つ容易に崩れない収納ラックを実現する。【解決手段】  断面正六角形状の筒状のラックユニット１０と、上記のラックユニットの連続する３つの面を嵌入可能な断面倒立台形状を有する溝部分２と、ラックユニットの一つの面の幅に相当する幅を有する水平部分３が交互に連続する形状からなる基台ユニットの２種のユニットの組み合わせにより収納ラックを構成する。【選択図】      図１
0003121492.tif 000002
【実用新案登録請求の範囲】
【請求項１】
下記(1) の構成よりなるラックユニットと、下記(2) の構成よりなる基台ユニットの組み合わせからなることを特徴とする収納ラック。
(1) 断面正六角形状の筒状のラックユニット。
(2) 上記のラックユニットの連続する３つの面を嵌入可能な断面倒立台形状を有する溝部分と、ラックユニットの一つの面の幅に相当する幅を有する水平部分が交互に連続する形状からなる基台ユニット。
【請求項２】
基台ユニットの両端部を、水平部分の半分の幅を有する端部水平部と、そこから下方向に折れ下がった端部垂直部に構成し、両端に設けた係止突起及び係止穴により、横方向に連結可能とした請求項１記載の収納ラック。
【考案の詳細な説明】
【技術分野】
【０００１】
この考案は、各種の物品を収容するための収納ラックに関し、特に複数のユニットを組み合わせることにより所望の大きさ及び形状に組み立て可能な収納ラックに関する。
【背景技術】
【０００２】
柱や側板と棚板を組み合わせて構成する収納ラック（例えば、特許文献１）に対し、規格化された形状の複数のユニットを組み合わせることにより所望の大きさ及び形状に組み立て可能な収納ラックが公知である（例えば、特許文献２）。
【特許文献１】実開平６−７７５６８号公報
【特許文献２】登録実用新案第３０６６８６４号公報
【考案の開示】
【考案が解決しようとする課題】
【０００３】
前者の収納ラックにおいては選択できる形状や大きさに制限があるのに対し、後者の収納ラックにおいてはそのような制限が少なく、又、使用にあたっても前者の収納ラックのような複雑な組み立て手順を要しない利点を有する。
【０００４】
しかしながら、後者の収納ラックは四角の箱状のユニットを積み重ねて所望の大きさ及び形状のラックを得る構成なので不安定であり、ちょっとした衝撃や地震により崩れる危険がある。
【０００５】
この場合、例えば特許文献２に記載の発明のようにボルト等の連結金具を用いてユニットを相互に固定すれば上記の事態は解消されるが、使用にあたってこの作業を行わなければならない面倒さがあり、又、一度固定してしまうと、大きさ及び形状を変えたいときに再度分離して固定し直さなければならない面倒さがある。又、四角の箱状のユニットを積み重ねてラックを構成するので、得られるラックの意匠に面白みがなかった。
【課題を解決するための手段】
【０００６】
この考案は以上の従来技術の問題点を解消した収納ラックを得ることを目的として創作されたものであり、
(1) 断面正六角形状の筒状のラックユニットと、
(2) 上記のラックユニットの連続する３つの面を嵌入可能な断面倒立台形状を有する溝部分と、ラックユニットの一つの面の幅に相当する幅を有する水平部分が交互に連続する形状からなる基台ユニット、
〜の２種のユニットの組み合わせからなることを特徴とする。
【考案の効果】
【０００７】
この考案によれば、図４に示すように基台ユニットの溝部分にラックユニットの連続する３つの面を接地して嵌入することにより、基台ユニットに対しラックユニットが幅方向の移動を阻止された状態で載置・固定されることとなる。一方、上記の基台ユニットの溝同士はラックユニットの一つの面の幅に相当する幅を有する水平部分を介して交互に連続するので、隣接する溝のそれぞれにラックユニットを嵌入すれば、嵌入された左右のラックユニットの上方側面同士と、基台ユニットの隣接する溝同士を結ぶ水平部分により基台ユニットの溝と同様の断面倒立台形状の溝が構成され、ここに新たなラックユニットを嵌入することが可能となる。よって、これらの作業を組み合わせることにより所望の大きさ及び形状の収納ラックを得ることができる。
【０００８】
上記の場合において、上に載置されるラックユニットは連続する３つの面が倒立台形状の溝に嵌入しているので左右方向の移動が阻止される。よって、連結金具を使用しなくてもただ積み重ねるだけで衝撃や地震等により崩れることのない安定した収納ラックを得ることが可能となる効果を奏する。又、連結金具を使用していないので形状や大きさを変える作業も極めて簡単に行うことができる。
【０００９】
一方、収納ラック全体は断面正六角形状のラックユニットの集合により構成されるので意匠的にも面白みのあるデザイン性に富んだ収納ラックを得ることができる。又、この場合、ラックユニットが断面正六角形状であることから、通常の四角の箱状のユニットでは中で転がる危険のあったワイン等のボトル類も転がることのなく、安定した状態で収納することが可能となる。
【考案を実施するための最良の形態】
【００１０】
以下、この考案の具体的実施例を添付図面に基づいて説明する。図１はこの収納ラックを構成する各ユニットを示す斜視図である。図中符号１０はラックユニットである。このラックユニットは断面正六角形の筒状に構成されるものである。その奥行きは任意であるが、例えば通常のラックユニットで一般的に採用されている２０ｃｍから４５ｃｍの他、長尺のものを収納することを想定したより長い寸法、或いは例えば文房具等を収納することを想定したより小さい寸法のものであってもよいことは勿論である。これらの場合、直径は奥行きに応じて適宜変更される。又、素材はここではプラスチックによる一体成型のものを想定しているが、その他の例えば合板やガラス、或いは紙を折ったり、接合したりしたものであってもよいことは勿論である。
【００１１】
図中符号１は上記のラックユニット１０を載置するための基台ユニットである。この基台ユニット１０は上記のラックユニット１０の連続する３つの面を嵌入可能な断面倒立台形状を有する溝部分２と、ラックユニットの一つの面の幅に相当する幅を有する水平部分３が交互に連続する形状からなる。そして、この実施例においては基台ユニット１の両端部を、上記の水平部分３の半分の幅を有する端部水平部４、４と、そこから下方向に折れ下がった端部垂直部５、５に構成し、一方の端部水平部と端部垂直部の角部にはＬ字状に突出した係止突起６Ａを、他方の端部水平部と端部垂直部の角部には上記の係止突起６Ａを挿入することにより係止可能なスリット状の係止穴６Ｂが設けられる（図２及び図３参照）。尚、以上の基台ユニット１の寸法及び素材に関しては前記のラックユニット１０の場合と共通する。この場合、両者を別素材で構成してもよいことは勿論である。
【００１２】
図４はこの考案の収納ラックの使用例を示す図である。ここでは２つの基台ユニット１、１を隣り合う係止突起６Ａと係止穴６Ｂにより連結して使用に供している。この場合、それぞれの端部水平部４、４の幅は水平部分３の幅の半分なので、連結することにより水平部分の幅と同じ寸法となり、ラックユニット１０の一つの面の幅に相当することになる。
【００１３】
収納ラックの使用にあたっては、床面Ｆに載置した基台ユニット１の溝部分２にラックユニット１０の連続する３つの面を接地して嵌入することにより、基台ユニットに対しラックユニットが幅方向の移動を阻止された状態で載置・固定されることとなる。一方、上記の基台ユニット１の各溝２はラックユニット１０の一つの面の幅に相当する幅を有する水平部分３を介して交互に連続し、更に連結部分には両者合わせてラックユニットの一つの面の幅に相当する幅を有する端部水平部４、４が位置するので、隣接する溝のそれぞれにラックユニットを嵌入することにより、嵌入された左右のラックユニットの上方側面同士と、基台ユニットの隣接する溝同士を結ぶ水平部分により基台ユニットの溝と同様の断面倒立台形状の溝が構成され、ここに新たなラックユニットが嵌入可能となる。尚、基台ユニット１は図５に示すように床面Ｆ上に載置した任意の台座Ｂ上に載置してもよい。
【００１４】
図６及び図７はこの考案の収納ラックを壁面に設置した例を示す図である。この場合は基台ユニット１の両端の端部水平部４、４と端部垂直部５、５がなす角を壁面に設けた支持材に係止可能な係止部として利用する。即ち、壁面Ｗに適宜長さの一対の水平柱Ｐ、Ｐを植設し、これらの水平柱に基台ユニット１の両端の端部水平部４、４と端部垂直部５、５がなす角部を係止することにより基台ユニットを壁面に設置する。
【図面の簡単な説明】
【００１５】
【図１】この考案の収納ラックを構成する各ユニットの斜視図。
【図２】同上、基台ユニットの正面図。
【図３】同上、基台ユニットの平面図。
【図４】この考案の収納ラックの組み立て例を示す正面図。
【図５】この考案の収納ラックの組み立て例を示す正面図。
【図６】この考案の収納ラックを壁面に設置した例を示す正面図。
【図７】この考案の収納ラックを壁面に設置した例を示す一部切り欠き側面図。
【符号の説明】
【００１６】
１                基台ユニット
２                溝部分
３                水平部分
１０              ラックユニット
【図１】
0003121492.tif 000003
【図２】
0003121492.tif 000004
【図３】
0003121492.tif 000005
【図４】
0003121492.tif 000006
【図５】
0003121492.tif 000007
【図６】
0003121492.tif 000008
【図７】
0003121492.tif 000009